(57)【要約】【課題】外部空間から駆動装置へのアクセスが容易な可動ホーム柵を提供する。【解決手段】可動ホーム柵１に、床面２に立設される柱状部材５と、上下方向に間隔を空けて柱状部材５に固定される、上部横フレーム６と下部横フレーム７と、を有する固定部３と、上部横フレーム６と下部横フレーム７の間に配置されて、固定部３に進退自在に支持される扉体４と、固定部３に固定されて、扉体４を固定部３に対して進退させるピニオン１３、電動機１４と、固定部３のホーム側の正面を覆うパネル８と、開放位置と閉鎖位置の間を移動自在に、固定部３に取り付けられて、開放位置にある時に、外部空間からピニオン１３、電動機１４へのアクセスを可能にするアクセスドア９を備える。【選択図】図１
2018150006.tif 000002
【特許請求の範囲】
【請求項１】
設置場所に立設される柱状部材と、上下方向に間隔を空けて前記柱状部材に固定される、上部横フレームと下部横フレームと、を有する固定部と、
前記上部横フレームと下部横フレームの間に配置されて、前記固定部に進退自在に支持される扉体と、
前記固定部に固定されて、前記扉体を前記固定部に対して進退させる駆動装置と、
前記固定部のホーム側の正面を覆うパネルと、
開放位置と閉鎖位置の間を移動自在に、前記固定部に取り付けられて、前記開放位置にある時に、外部空間から前記駆動装置へのアクセスを可能にするアクセス手段を備える、
可動ホーム柵。
【請求項２】
前記アクセス手段は、前記固定部のホーム側の正面に開閉自在に取り付けられたアクセスドアである、
請求項１に記載の可動ホーム柵。
【請求項３】
前記アクセスドアは、ヒンジを介して前記固定部に支持される開き戸である、
請求項２に記載の可動ホーム柵。
【請求項４】
前記アクセスドアは、前記扉体が進退する方向に平行に、移動自在に前記固定部に支持される引き戸である、
請求項２に記載の可動ホーム柵。
【請求項５】
前記アクセス手段は、前記上部横フレームの上面を覆うフードであり、
前記フードは、ヒンジを介して前記上部横フレームに開閉自在に取り付けられている、
請求項１に記載の可動ホーム柵。
【請求項６】
前記パネルは、前記固定部に固定されている、
請求項１から請求項５のいずれか一項に記載の可動ホーム柵。
【請求項７】
前記パネルは、前記扉体が進退する方向に平行に、移動自在に前記固定部に支持されている、
請求項１から請求項５のいずれか一項に記載の可動ホーム柵。
【請求項８】
設置場所に立設される柱状部材と、上下方向に間隔を空けて前記柱状部材に固定される、上部横フレームと下部横フレームと、を有する固定部と、
前記上部横フレームと下部横フレームの間に配置されて、前記固定部に進退自在に支持される扉体と、
前記固定部に固定されて、前記扉体を前記固定部に対して進退させる駆動装置と、
前記固定部のホーム側の正面を覆うパネルを備えるとともに、
前記パネルは、前記扉体が進退する方向に平行に、移動自在に前記固定部に支持されている、
可動ホーム柵。
【発明の詳細な説明】
【技術分野】
【０００１】
この発明は、可動ホーム柵に関する。
【背景技術】
【０００２】
可動ホーム柵は、鉄道駅のプラットホームに設置されて、鉄道車両の発着に合わせて開閉される一種の自動ドア装置である。可動ホーム柵は、プラットホームに固定される固定部と、固定部に進退自在に支持される扉体を備えている。
【０００３】
特許文献１に記載の可動ホーム柵の固定部は、設置場所に立設される柱状部材（縦パイプ）と、柱状部材に固定される、上部横フレームと下部横フレーム（横パイプ）と、を有している。上部横フレームと下部横フレームは、上下方向に間隔を空けて平行に配置されていて、両者の間には、扉体（扉）が配置されて、固定部に進退自在に支持されている。そして、この可動ホーム柵の固定部には、固定部のホーム側の正面を覆うパネルが固定されている（第０１２４〜０１３０段落、図１６）。
【０００４】
特許文献１に記載の可動ホーム柵は、戸袋を床面に据え置きするタイプの従来の可動ホーム柵に比べて、重量を軽くすることができる。可動ホーム柵の重量を軽くすれば、製造や設置工事に掛かるコストを低減できる。
【先行技術文献】
【特許文献】
【０００５】
【特許文献１】特開２０１６−１１２９１７号公報
【発明の概要】
【発明が解決しようとする課題】
【０００６】
特許文献１に記載の可動ホーム柵の固定部には、モーター６、タイミングベルト７、プーリー８が固定されている。これらは、扉体を固定部に対して進退させる駆動装置として機能する。駆動装置は、定期的に保守点検を行う必要があって、そのために、可動ホーム柵の外部から駆動装置へアクセスする必要がある。また、安全性と作業性を確保するために、駆動装置へのアクセスは、ホーム側から行うことが望ましい。特許文献１の図１６に記載の可動ホーム柵のように、可動ホーム柵のホーム側の正面がパネルで覆われている場合に、ホーム側から駆動装置にアクセスしようとすれば、パネルを固定部から取り外す必要がある。また、駆動装置の点検や保守が終了した後に、パネルを再び、固定部に取り付ける必要がある。
【０００７】
しかしながら、パネルは大型の部材であって、相当の重量を有している。特に、パネルをガラス系の材料で構成する場合、パネルの重量は、更に増加する。このような、大きな重量を有するパネルを人力で着脱することは容易ではなく、相当の困難を伴う。このように、固定部のホーム側の正面がパネルで覆われる可動ホーム柵においては、外部から駆動装置へのアクセスが難しいという問題が存在する。そのために、駆動装置の保守点検作業に手間が掛かるという問題が存在する。
【０００８】
この発明は上記の課題を解決するためにされたものであり、固定部のホーム側の正面がパネルで覆われる可動ホーム柵であって、外部空間から駆動装置へのアクセスが容易な可動ホーム柵を提供することを目的とする。  
【課題を解決するための手段】
【０００９】
この発明に係る可動ホーム柵は、設置場所に立設される柱状部材と、上下方向に間隔を空けて柱状部材に固定される、上部横フレームと下部横フレームと、を有する固定部と、上部横フレームと下部横フレームの間に配置されて、固定部に進退自在に支持される扉体と、固定部に固定されて、扉体を固定部に対して進退させる駆動装置と、固定部のホーム側の正面を覆うパネルと、開放位置と閉鎖位置の間を移動自在に、固定部に取り付けられて、開放位置にある時に、外部空間から駆動装置へのアクセスを可能にするアクセス手段を備える。
【００１０】
この発明に係る可動ホーム柵は、設置場所に立設される柱状部材と、上下方向に間隔を空けて柱状部材に固定される、上部横フレームと下部横フレームと、を有する固定部と、上部横フレームと下部横フレームの間に配置されて、固定部に進退自在に支持される扉体と、固定部に固定されて、扉体を固定部に対して進退させる駆動装置と、固定部のホーム側の正面を覆うパネルを備えるとともに、パネルは、扉体が進退する方向に平行に、移動自在に固定部に支持されている。
【発明の効果】
【００１１】
この発明によれば、可動ホーム柵に、外部空間から駆動装置へのアクセスを可能にするアクセス手段を備えるので、パネルを固定部から取り外すことなしに、駆動装置にアクセスして、駆動装置の保守点検を行うことができる。また、パネルが、扉体の進退方向に平行に自在に移動できるように支持されるので、パネルを固定部から取り外すことなしに、パネルを扉体の進退方向に平行に移動させて、駆動装置にアクセスして、駆動装置の保守点検を行うことができる。そのため、駆動装置の保守点検が容易な可動ホーム柵が実現される。
【図面の簡単な説明】
【００１２】
【図１】（Ａ）は本発明の第１の実施形態に係る可動ホーム柵の正面図、（Ｂ）は可動ホーム柵の側面図、（Ｃ）は可動ホーム柵の内部構造を示す説明図であって、全開状態にある可動ホーム柵の正面図、（Ｄ）は可動ホーム柵の内部構造を示す説明図であって、全閉状態にある可動ホーム柵の正面図
【図２】（Ａ）は図１に記載の可動ホーム柵の作用を示す平面図、（Ｂ）は本発明の第１の実施形態の変形例に係る可動ホーム柵の作用を示す平面図
【図３】（Ａ）は本発明の第２の実施形態に係る可動ホーム柵の正面図、（Ｂ）は可動ホーム柵の作用を示す平面図
【図４】（Ａ）は本発明の第２の実施形態の変形例に係る可動ホーム柵の作用を示す平面図、（Ｂ）は本発明の第２の実施形態の別の変形例に係る可動ホーム柵の作用を示す平面図
【図５】（Ａ）は本発明の第３の実施形態に係る可動ホーム柵の正面図、（Ｂ）は可動ホーム柵の作用を示す平面図
【図６】（Ａ）は本発明の第３の実施形態の変形例に係る可動ホーム柵の作用を示す平面図、（Ｂ）は本発明の第３の実施形態の別の変形例に係る可動ホーム柵の作用を示す平面図
【図７】（Ａ）は本発明の第４の実施形態に係る可動ホーム柵の正面図、（Ｂ）は可動ホーム柵の作用を示す斜視図
【図８】（Ａ）は図７に記載の可動ホーム柵の作用を示す側面図、（Ｂ）は図７に記載の可動ホーム柵の作用を示す側面図
【発明を実施するための形態】
【００１３】
以下、本発明の実施形態に係る可動ホーム柵について、図面を参照しながら詳細に説明する。なお、各図面においては、同一または同等の部分に同一の符号を付している。
【００１４】
（第１の実施形態）
図１（Ａ）は本発明の第１の実施形態に係る可動ホーム柵１をホーム側から見た正面図であり、図１（Ｂ）は可動ホーム柵１の側面図である。図１（Ａ），（Ｂ）に示すように、可動ホーム柵１は、鉄道駅のプラットホームの床面２に固定された固定部３と、固定部３に進退自在に取り付けられて、図示しない列車の乗降口を開閉する扉体４とを備える。固定部３は床面２に立設固定された２本の柱状部材５と、柱状部材５に固定された上部横フレーム６と下部横フレーム７を備えている。上部横フレーム６と下部横フレーム７は上下方向に間隔を空けて配置されていて、上部横フレーム６と下部横フレーム７の間には扉体４が配置されている。
【００１５】
なお、扉体４は、上下に間隔を空けて配置された横枠４ｈ、４ｌと、戸先側において横枠４ｈ、４ｌを互いに連結する縦枠４ｖとで構成されている。つまり、扉体４は、「Ｕ」字形のフレームを横倒した枠組で構成されている。
【００１６】
図１（Ａ），（Ｂ）に示すように、可動ホーム柵１のホーム側の正面には、パネル８とアクセスドア９が取り付けられている。パネル８は、固定部３のホーム側の正面を覆う板状の部材であって、固定部３に固定されている。アクセスドア９は、固定部３のホーム側の正面の、後述する駆動装置を覆う位置に配置された板状の部材であって、ヒンジ１０を介して、固定部３に取り付けられている。つまり、アクセスドア９は、ヒンジ１０回りに揺動する開き戸である。
【００１７】
図１（Ｃ），（Ｄ）は可動ホーム柵１の内部構造と作用を説明する図である。図１（Ｃ）は扉体４が固定部３の中に引き込まれた状態、つまり、全開状態にある可動ホーム柵１を、図１（Ｄ）は扉体４が固定部３の外に引き出された状態、つまり、全閉状態にある可動ホーム柵１を、それぞれ示している。図１（Ｃ），（Ｄ）に示すように、可動ホーム柵１の上部横フレーム６には、扉体４が進退する方向に延びるリニアガイドレール１１が固定されている。リニアガイドレール１１には２個のリニアガイドブロック１２が摺動自在に取り付けられていて、リニアガイドブロック１２は扉体４に固定されている。つまり、扉体４はリニアガイドブロック１２を介して、リニアガイドレール１１に摺動自在に支持されている。このように、扉体４は、リニアガイドブロック１２とリニアガイドレール１１を介して固定部３に支持されているので、固定部３に対して自在に進退することができる。そのため、扉体４は、図１（Ｃ）に示す位置と図１（Ｄ）に示す位置の間で自在に移動することができる。
【００１８】
図１（Ｃ），（Ｄ）に示すように、可動ホーム柵１の固定部３には、ピニオン１３と、ピニオン１３を回転駆動する電動機１４が固定されている。ピニオン１３には可撓性ラック１５が噛み合わされている。可撓性ラック１５の一方の端はクランプ１６を介して扉体４に固定されている。固定部３には、ピニオン１３とクランプ１６の間において、可撓性ラック１５が撓まないように支持するラック案内体１７が固定されている。可撓性ラック１５の他方の端は、固定部３に固定されたラック収容体１８の中に引き込まれている。ラック収容体１８は可撓性ラック１５を収容する鞘状の部材である。このように、可撓性ラック１５の一端は、クランプ１６を介して扉体４に固定されていて、そこからラック案内体１７に支持されて、図の左方向に延びてピニオン１３に噛み合わされて、更に図の左方向に延びて、ラック収容体１８の中に延びている。なお、可撓性ラック１５は一種の歯付ベルトであって、張力だけでなく、推力を伝達できる。
【００１９】
このように構成されているので、図１（Ｃ）に示す状態において、電動機１４を動作させて、ピニオン１３を時計回りに、つまり矢印ＣＷで示す方向に回転させると、可撓性ラック１５はラック収容体１８から引き出される方向に移動する。その結果、扉体４は可撓性ラック１５に押されて、矢印ＯＵＴで示す方向に移動する。つまり、扉体４は通路を閉鎖する方向に移動する。図１（Ｄ）に示す状態において、電動機１４を動作させて、ピニオン１３を反時計回りに、つまり矢印ＣＣＷで示す方向に回転させると、可撓性ラック１５はラック収容体１８に押し込まれる方向に移動する。その結果、扉体４は可撓性ラック１５に引っ張られて、矢印ＩＮで示す方向に移動する。つまり、扉体４は通路を開放する方向に移動する。このように、扉体４は、電動機１４によって駆動されて、固定部３に対して進退して、通路を開放及び閉鎖することができる。
【００２０】
また、可動ホーム柵１は、電動機１４を制御する、図示しない制御装置を備えていて、制御装置は固定部３に固定されている。本明細書では、ピニオン１３、電動機１４、可撓性ラック１５を含む機械装置と、制御装置のような電気電子装置を総称して、駆動装置と呼ぶ。つまり、扉体４の動作に関与する機械装置と電気電子装置を総称して駆動装置と呼ぶ。
【００２１】
図１（Ｃ），（Ｄ）に示すように、アクセスドア９は、ピニオン１３と電動機１４をカバーする位置に配置されている。そのため、図２（Ａ）に示すように、アクセスドア９をヒンジ１０の回りに揺動させて、ホーム側に振り出すと、可動ホーム柵１の外部から、ピニオン１３と電動機１４にアクセスすることが可能になるので、ピニオン１３と電動機１４の点検や保守を行うことが可能になる。つまり、可動ホーム柵１の駆動装置の点検や保守を行うことが可能になる。アクセスドア９を開放すれば、可動ホーム柵１の外部から駆動装置へのアクセスが可能になり、アクセスドア９を閉鎖すれば、駆動装置へのアクセスが防止される。また、ピニオン１３と電動機１４の点検や保守を行う場合には、パネル８を取り外す必要がない。
【００２２】
なお、アクセスドア９はヒンジ１０を介して固定部３に取り付けられるものには限定されない。アクセスドア９を、図示しないスライドレールを介して、固定部３に取り付けて、扉体４が進退する方向と平行にアクセスドア９がスライドするようにしても良い。つまり、アクセスドア９を引き戸にしても良い。
【００２３】
このように、アクセスドア９は、開放位置と閉鎖位置の間を移動自在に、固定部３に取り付けられて、開放位置にある時に、外部空間から駆動装置へのアクセスを可能にするアクセス手段として機能する。アクセスドア９が開放位置にある時、つまりアクセスドア９が図２（Ａ）又は図２（Ｂ）に示す状態にある時、可動ホーム柵１の外部からピニオン１３や電動機１４へのアクセスが可能になる。アクセスドア９が閉鎖位置にある時、つまりアクセスドア９が図１（Ａ）に示す状態にある時、可動ホーム柵１の外部からピニオン１３や電動機１４へのアクセスが防止される。
【００２４】
なお、ピニオン１３、電動機１４、可撓性ラック１５、クランプ１６、ラック収容体１８は、全て、ホーム側から見て扉体４の手前に配置されている。そのため、扉体４が、全開、全閉いずれの位置にあっても、扉体４がこれらの部品へのアクセスの障害になることがない。つまり、アクセスドア９を開けるだけで、これらの部品に直接アクセスすることができる。また、アクセスドア９は、上部横フレーム６の上端面と下部横フレーム７の下端面の間の全体をカバーしている。つまり、アクセスドア９は、高さ方向において固定部３の全体を覆っている。そのため、アクセスドア９を開けて、ラック収容体１８を取り外すだけで、可撓性ラック１５の広い範囲を目視で点検できる。また、可撓性ラック１５の交換を容易に行える。
【００２５】
（第２の実施形態）
第２の実施形態に係る可動ホーム柵１は、図３（Ａ），（Ｂ）に示すように、２枚の扉体４ａ，４ｂを備えている。また、可動ホーム柵１は上部横フレーム６と下部横フレーム７（図３において図示せず）の組を２組備えている。扉体４ａ，４ｂは該組のそれぞれに支持されて、互いに固定部３の反対側に配置されている。固定部３のホーム側の正面には、パネル８が固定され。パネル８の左右には、アクセスドア９ａ，９ｂが配置されていて、それぞれヒンジ１０を介して固定部３に取り付けられている。アクセスドア９ａは扉体４ａを駆動する駆動装置１９ａを、アクセスドア９ｂは扉体４ｂを駆動する駆動装置１９ｂを、それぞれカバーしている。また、２組の上部横フレーム６と下部横フレーム７の組の間には、ホーム上にいる乗客に各種の情報を提供するディスプレイ装置２０が配置されている。パネル８は透明な素材で構成されていて、ホーム上にいる乗客は、ディスプレイ装置２０に表示される画像や映像をパネル８越しに視認することができる。また、上部横フレーム６と下部横フレーム７の組の間にディスプレイ装置２０を備える代わりに、パネル８にディスプレイ装置２０を取り付けても良い。あるいは、パネル８に代えて、ディスプレイ装置２０を固定部３のホーム側の正面に固定するようにしても良い。
【００２６】
なお、第２の実施形態に係る可動ホーム柵１の扉体４は、第１の実施形態に係る可動ホーム柵１の扉体４と同様に、上下に間隔を空けて配置された横枠４ｈ、４ｌと、戸先側において横枠４ｈ、４ｌを互いに連結する縦枠４ｖとで構成されている。つまり、扉体４は、「Ｕ」字形のフレームを横倒した枠組で構成されている。そして、ディスプレイ装置２０は、高さ方向において、横枠４ｈ、４ｌの間に位置するように配置されている。そのため、扉体４が全開位置にあっても、扉体４は、ディスプレイ装置２０に表示される画像や映像をホーム側から見る場合の障害にはならない。つまり、ディスプレイ装置２０に表示される画像や映像を扉体４越しにホーム側から視認することができる。また、横枠４ｈ、４ｌの間にパネル状の部材を取り付ける場合や、扉体４の全体をパネル状の部材で構成する場合は、当該部材を透明な素材で構成すれば良い。
【００２７】
前述したように、アクセスドア９ａ，９ｂは、それぞれヒンジ１０を介して固定部３に取り付けられているので、図３（Ｂ）に示すように、アクセスドア９ａ，９ｂをヒンジ１０の回りに揺動させて、アクセスドア９ａ，９ｂを開閉することができる。アクセスドア９ａを開放すれば、可動ホーム柵１の外部から、扉体４ａを駆動する駆動装置１９ａにアクセスして、駆動装置１９ａの保守や点検を行うことができる。アクセスドア９ｂを開放すれば、可動ホーム柵１の外部から、扉体４ｂを駆動する駆動装置１９ｂにアクセスして、駆動装置１９ｂの保守や点検を行うことができる。
【００２８】
パネル８を図示しないスライドレールを介して、固定部３に取り付けて、扉体４が進退する方向と平行にパネル８がスライドするようにしても良い。このような構成を選択すれば、図４（Ａ）に示すように、固定部３のホーム側の正面を大きく開放できるので、固定部３に取り付けられた各種機器の点検と保守がさらに容易になる。また、比較的頻繁に実施される点検項目については、アクセスドア９ａ，９ｂを開放するだけで実施できるように、アクセスドア９ａ，９ｂの寸法と配置を選択し、実施頻度の小さい大規模な点検修理については、パネル８をスライドさせて行うように設計することもできる。また、ヒンジ１０を上部横フレーム６の上端面と下部横フレーム７の下端面に取り付けて、パネル８をスライドさせる場合に、２個のヒンジ１０の間をパネル８が通り抜けられるようにしても良い。このようにすれば、パネル８を固定部３に対してスライドさせて、固定部３から完全に取り外すことができる。またヒンジ１０に代えてスイング機構を介して、アクセスドア９ａ，９ｂを固定部３に取り付けるようにしても良い。スイング機構を介して、パネル８を固定部３に取り付けるようにしても良い。
【００２９】
第１の実施形態の場合と同様に、アクセスドア９ａ，９ｂはヒンジ１０を介して固定部３に取り付けられるものには限定されない。アクセスドア９ａ，９ｂの両方又は一方を、図示しないスライドレールを介して、固定部３に取り付けて、扉体４が進退する方向と平行にスライドするようにしても良い。つまり、アクセスドア９ａ，９ｂを引き戸にしても良い。
【００３０】
（第３の実施形態）
第２の実施形態においては、２組の上部横フレーム６と下部横フレーム７を柱状部材５のホーム側と軌道側に配置して、ホーム側に配置された上部横フレーム６と下部横フレーム７の組で扉体４ａを支持し、軌道側に配置された上部横フレーム６と下部横フレーム７の組で扉体４ｂを支持する例を示した。第３の実施形態においては、１組の上部横フレーム６と下部横フレーム７で、２枚の扉体４ａ，４ｂを支持する例を示す。第３の実施形態に係る可動ホーム柵１は、図５（Ａ），（Ｂ）に示すように、上部横フレーム６と下部横フレーム７（図５において図示せず）の組を１組だけ備えている。可動ホーム柵１が備える２枚の扉体４ａ，４ｂは、直列に配置されて、この単一の上部横フレーム６と下部横フレーム７の組に支持されている。可動ホーム柵１の固定部３のホーム側の正面の中央には、アクセスドア９ａ，９ｂが配置され、それぞれヒンジ１０を介して固定部３に取り付けられている。アクセスドア９ａは扉体４ａを駆動する駆動装置１９ａを、アクセスドア９ｂは扉体４ｂを駆動する駆動装置１９ｂを、それぞれカバーしている。また、可動ホーム柵１の固定部３のホーム側の正面の両端には、アクセスドア９ａに隣接してパネル８ａが、アクセスドア９ｂに隣接してパネル８ｂがそれぞれ配置されている。また、パネル８ａ，８ｂは、図示しないスライドレールを介して、固定部３に取り付けられている。そのため、パネル８ａ，８ｂを、扉体４が進退する方向と平行にスライドさせることができる。
【００３１】
第３の実施形態に係る可動ホーム柵１は、上記の構成を備えているので、図５（Ｂ）に示すように、アクセスドア９ａ，９ｂをヒンジ１０の回りに揺動させて、アクセスドア９ａ，９ｂを観音開きに開放することができる。アクセスドア９ａを開放すれば、可動ホーム柵１の外部から、扉体４ａを駆動する駆動装置１９ａにアクセスして、駆動装置１９ａの保守や点検を行うことができる。アクセスドア９ｂを開放すれば、可動ホーム柵１の外部から、扉体４ｂを駆動する駆動装置１９ｂにアクセスして、駆動装置１９ｂの保守や点検を行うことができる。また、パネル８ａ，８ｂを、扉体４が進退する方向と平行にスライドさせて、固定部３のホーム側の正面を大きく開放することができる。そのため、固定部３に取り付けられた各種機器の点検と保守が容易になる。
【００３２】
第３の実施形態に係る可動ホーム柵１の構成は、前述したものには限定されない。２枚のアクセスドア９ａ，９ｂを備える代わりに、図６（Ａ）に示すように、１枚のアクセスドア９を、ヒンジ１０を介して固定部３に取り付けるようにしても良い。この場合、アクセスドア９を開放すれば、可動ホーム柵１の外部から、扉体４ａを駆動する駆動装置１９ａと、扉体４ｂを駆動する駆動装置１９ｂにアクセスすることができる。
【００３３】
あるいは、２枚のアクセスドア９ａ，９ｂを廃止して、図６（Ｂ）に示すように、パネル８ａ，８ｂで、固定部３のホーム側の正面の全体を覆うようにしても良い。そして、パネル８ａ，８ｂを図示しないスライドレールを介して、固定部３に取り付けて、パネル８ａ，８ｂが、扉体４が進退する方向と平行にスライドできるようにしても良い。このような構成を選択すれば、パネル８ａをスライドさせることによって、扉体４ａを駆動する駆動装置１９ａへの外部からのアクセスが可能になる。また、パネル８ｂをスライドさせることによって、扉体４ｂを駆動する駆動装置１９ｂへの外部からのアクセスが可能になる。つまり、この場合、パネル８ａ，８ｂ自体がアクセス手段として機能する。
【００３４】
（第４の実施形態）
可動ホーム柵１において扉体４の動作に関与する駆動装置１９は、上部横フレーム６と下部横フレーム７の間に配置されるものには限られない。電動機１４を制御する電気電子装置が上部横フレーム６の上方に配置される場合もある。第４の実施形態においては、駆動装置１９が上部横フレーム６の上方に配置される場合の構成例を示す。
【００３５】
第４の実施形態に係る可動ホーム柵１においては、図７（Ａ）に示すように、上部横フレーム６の上面に駆動装置１９が固定されている。ここで、駆動装置１９は可動ホーム柵１が備える図示しない電動機を制御する電気電子装置である。また上部横フレーム６の上面にはフード２１が載置されていて、駆動装置１９はフード２１によって掩蓋される。フード２１は、底面のみが開放された箱型の部材であって、軌道側に配置されたヒンジ１０を介して、上部横フレーム６に取り付けられていて、ヒンジ１０の回りに揺動する。そのため、図７（Ｂ）に示すように、フード２１はヒンジ１０の回りに揺動して、軌道側に跳ね上げられて、開放される。そのため、フード２１が開放されると、ホーム側から駆動装置１９へ容易にアクセスできる。
【００３６】
図８（Ａ）は、第４の実施形態に係る可動ホーム柵１の部分側面図であって、フード２１が開放位置にある状態を示している。また、図８（Ｂ）は、可動ホーム柵１の部分側面図であって、フード２１が閉鎖位置にある状態を示している。図８（Ａ）に示すように、フード２１が開放位置にある時は、リニアガイドレール１１とリニアガイドブロック１２の端面が露出する。そのため、この状態において、リニアガイドレール１１とリニアガイドブロック１２の状態を目視で検査することができる。また、リニアガイドレール１１とリニアガイドブロック１２に対してオイルやグリースを補給することができる。また、図８（Ｂ）に示すように、フード２１が閉鎖位置にある時は、リニアガイドレール１１とリニアガイドブロック１２はフード２１によってカバーされる。そのため、この状態においては、リニアガイドレール１１とリニアガイドブロック１２は外部からの不用意なアクセスに対して保護される。このように、フード２１は、開放位置と閉鎖位置の間を移動自在に、固定部３に取り付けられて、開放位置にある時に、可動ホーム柵１の外側から駆動装置１９へのアクセスを可能にするアクセス手段として機能する。
【００３７】
なお、一般に、可動ホーム柵１は、列車が走行する際に発生する列車風や、台風のような自然風に起因する強い風圧に曝される。可動ホーム柵１が強い風圧に曝される場合に、構成部品の取り付け強度が低かったり、がたつきがあったりすると、不具合が生じることがある。パネル８を固定部３に着脱自在に取り付けると、パネル８を固定部３に固定する場合に比べて、取り付け強度が低くなる。パネル８を固定部３に着脱自在に取り付けた場合には、パネル８にがたつきが生じることがある。
【００３８】
パネル８を固定部３に着脱自在に取り付ける手段としてスナップ錠が知られている。パネル８の固定部３への取り付けにスナップ錠を用いる場合、フード２１内にスナップ錠を配置するための空間を確保する必要がある。しかしながら、可動ホーム柵１は小形化が求められている上に、フード２１内には既に駆動装置１９が配置されているので、フード２１内にスナップ錠を配置するための空間を確保することは難しいという問題がある。また、複数個のスナップ錠でパネル８を固定したとしても、パネル８を効果的に固定して、がたつきの発生を抑制することは難しいという問題がある。
【００３９】
そこで、第４の実施形態に係る可動ホーム柵１においては、以下のような構成を選択することによって、上記の問題を解決している。すなわち、図７（Ｂ）と図８（Ａ）に示すように、可動ホーム柵１が備えるパネル８はスライド枠２２を介して固定部３に支持されている。フード２１の内側の、フード２１が閉鎖位置にある場合にパネル８と対面する部位には、クッション部材２３が固定されている。そして、図８（Ｂ）に示すように、クッション部材２３は、フード２１が閉鎖位置にある場合に、パネル８に当接して、パネル８を押圧できるような厚さＴｈを有している。
【００４０】
第４の実施形態に係る可動ホーム柵１は、上記の構成を備えているので、フード２１が開放位置にある場合には、パネル８をスライドさせて、固定部３から取り外すことができる。フード２１が閉鎖位置にある場合には、パネル８はクッション部材２３に押圧されて固定部３に押し付けられるので、パネル８は固定部３に固定される。また、パネル８のがたつきの発生が抑制される。なお、クッション部材２３は、図７（Ｂ）に示すように、フード２１の長手方向、つまり可動ホーム柵１が設置されるプラットホームの長さ方向に延びている。そのため、フード２１が閉鎖位置にある場合に、クッション部材２３はパネル８の幅方向の全ての領域で、パネル８に当接して、パネル８を押圧することができる。その結果、パネル８のがたつきの発生は効果的に抑制される。
【００４１】
以上、説明したように、上記各実施形態に係る可動ホーム柵１においては、アクセスドア９やフード２１が、可動ホーム柵１の外部から駆動装置１９へのアクセスを可能にするアクセス手段として機能するので、駆動装置１９の保守点検を行う際に、可動ホーム柵１の固定部３のホーム側の正面を覆うパネル８を取り外す必要がない。また、第３の実施形態の変形例に係る、図６（Ｂ）に示した可動ホーム柵１は、アクセスドア９を備える代わりに、パネル８ａ，８ｂを図示しないスライドレールを介して、固定部３に取り付けている。そのため、パネル８ａ，８ｂをスライドさせるだけで、つまり、パネル８ａ，８ｂを固定部３から取り外すことなしに、可動ホーム柵１の外部から駆動装置１９にアクセスすることができる。
【００４２】
しかしながら、本発明の技術的範囲は、上記各実施形態によっては限定されない。本発明は特許請求の範囲に記載された技術的思想の限りにおいて、自由に応用、変形あるいは改良して、実施することができる。
【００４３】
固定部３を構成する上部横フレーム６と下部横フレーム７は、図１（Ｂ）において図示されたような、溝形の横断面形を有するものには限定されない。上部及び下部横フレーム６，７は、「Ｕ」字形の横断面形を有していても良いし、丸パイプや各パイプで構成されていても良い。また、上部横フレーム６と下部横フレーム７の横断面形は、「Ｌ」字形であっても良いし、「コ」字形であっても良い。
【００４４】
扉体４は、上記各実施形態において示したような、「Ｕ」字形のフレームを横倒したものに限定されない。扉体４は板状の部材であっても良いし、「Ｕ」字形のフレームと板状の部材を組み合わせたものであっても良い。
【００４５】
上記各実施形態においては、上部横フレーム６にリニアガイドレール１１を固定して、扉体４に固定されたリニアガイドブロック１２をリニアガイドレール１１に摺動自在に取り付ける例を示した。つまり、扉体４が上部横フレーム６に進退自在に支持される例を示したが、扉体４は上部横フレーム６に進退自在に支持されるものには限定されない。扉体４は下部横フレーム７に進退自在に支持されても良いし、上部横フレーム６と下部横フレーム７の両方に進退自在に支持されても良い。リニアガイドレール１１は下部横フレーム７に固定されても良いし、上部横フレーム６と下部横フレーム７の両方に固定されても良い。
【００４６】
前述したように、固定部３に固定されて、扉体４を固定部３に対して進退させる駆動装置１９は、扉体４に直接作用する機械装置には限定されない。機械装置を制御する電気電子装置も駆動装置１９に含まれる。また、扉体４に直接作用する機械装置は第１の実施形態において示したような、可撓性ラック１５を利用するものには限定されない。該機械装置は、ベルト・プーリ機構、送りねじ、プッシュプルチェーン、油気圧機器を利用するものであっても良い。該機械装置は、扉体４に固定されたラックと、固定部３に固定された電動機で駆動されて前記ラックに噛み合わされるピニオンとで構成されても良い。つまり、該機械装置は、ラック・ピニオン機構を利用するものであっても良い。扉体４はリニアモータで駆動されても良い。
【００４７】
パネル８の素材や性状は、限定されない。パネル８は金属系の材料で構成されても良いし、非金属材料で構成されても良いし、あるいは複合材料で構成されても良い。パネル８を構成する素材は透明な素材であっても良いし、不透明な素材であっても良い。
【００４８】
上記実施形態に示したアクセスドア９の配置と寸法とは例示である。アクセスドア９は、高さ方向において固定部３の全体を覆う物には限定されない。アクセスドア９の配置と寸法は、可動ホーム柵１の外部から駆動装置１９へのアクセスを可能にするアクセス手段として機能する限りにおいて任意に選択できる。アクセスドア９は高さ方向において固定部３を部分的に覆うものであっても良い。つまり、アクセスドア９の高さ方向の寸法と位置は任意に選択できる。アクセスドア９の幅方向の寸法も任意に選択できる。アクセスドア９の取り付け位置も任意に選択できる。要するに、アクセスドア９の取り付け位置と大きさは、保守点検の対象である駆動装置１９の配置や大きさに応じて、任意に選択される。
【００４９】
上記のように、アクセスドア９の取り付け位置と大きさを、駆動装置１９の配置や大きさに応じて最適化するとともに、駆動装置１９の配置も最適化することが望ましい。第１の実施形態において示したように、ホーム側から見て扉体４の手前に、駆動装置１９が配置されるようにすれば、ホーム側からアクセスドア９を通して駆動装置１９にアクセスする場合に、扉体４がどの位置にあっても、扉体４が駆動装置１９へのアクセスの障害になることがない。また、駆動装置１９以外の部品や部材、つまり保守点検の対象でない部品や部材が、アクセスドア９と駆動装置１９の間に配置されないように、部品や部材の配置を選択することが望ましい。
【００５０】
上記実施形態においては、フード２１が上部横フレーム６の全体を覆う例を示したが、フード２１はこのようなものには限定されない。フード２１は上部横フレーム６の一部を覆うものであっても良い。フード２１を複数の部分に分割して、フード２１の一部がヒンジ１０を介して上部横フレーム６に取り付けられて、他の部分が上部横フレーム６に固定されていても良い。
【００５１】
上記実施形態においては、パネル８が固定部３に固定される場合について説明したが、パネル８を固定部３に固定する手段と固定の態様は限定されない。パネル８は固定部３に溶接あるいは接着によって固定されても良いし、ボルト、ナット、ビスあるいはその他のファスナーを使って固定部３に固定されても良い。また、「固定」は「永久固定」には限定されない。ボルトとナットによる固定のように、必要に応じて、「固定状態」を解除できる場合も「固定」に含まれる。
【００５２】
パネル８は固定部３に固定されるものには限定されない。パネル８を固定部３に対してスライドさせて、固定部３から完全に取り外すことができるようにすれば、必要に応じて、パネル８を取り外して、大きな開口を得ることができる。この構成を選択すれば、可動ホーム柵１がプラットホームの階段横のような狭隘な場所、つまり開き戸を開放するスペースがない場所に設置されていても、必要に応じて、大きな開口を得ることができる。
【００５３】
上記実施形態においては、図１（Ｃ）に示すように、可動ホーム柵１が全開状態にあるときも、扉体４の一部がパネル８の横にあって、ホーム側の正面から見える例を示したが、可動ホーム柵１はこのようなものには限定されない。可動ホーム柵１が全開状態にあるときに、扉体４の全体がパネル８の後側つまり軌道側にあるようにしても良い。つまり、可動ホーム柵１が全開状態にあるときに、扉体４がホーム側の正面から見えないようにしても良い。
【００５４】
アクセスドア９やフード２１がヒンジ１０を介して固定部３に取り付けられる場合に、アクセスドア９とヒンジ１０の間、フード２１とヒンジ１０の間、あるいは、ヒンジ１０と固定部３の間に、別の部材が介在されていても良い。
【産業上の利用可能性】
【００５５】
本発明は、可動ホーム柵に好適に利用することができる。
【符号の説明】
【００５６】
１  可動ホーム柵、２  床面、３  固定部、４，４ａ，４ｂ  扉体、４ｈ，４ｌ  横枠、４ｖ  縦枠、５  柱状部材、６  上部横フレーム、７  下部横フレーム、８，８ａ，８ｂ  パネル、９，９ａ，９ｂ，９ａｂ  アクセスドア、１０  ヒンジ、１１  リニアガイドレール、１２  リニアガイドブロック、１３  ピニオン、１４  電動機、１５  可撓性ラック、１６  クランプ、１７  ラック案内体、１８  ラック収容体、１９，１９ａ，１９ｂ  駆動装置、２０  ディスプレイ装置、２１  フード、２２  スライド枠、２３  クッション部材
【図１】
2018150006.tif 000003
【図２】
2018150006.tif 000004
【図３】
2018150006.tif 000005
【図４】
2018150006.tif 000006
【図５】
2018150006.tif 000007
【図６】
2018150006.tif 000008
【図７】
2018150006.tif 000009
【図８】
2018150006.tif 000010